(57)【要約】【課題】  合流コンベア装置において、合流後の品物の向きが一定方向にできるように構成した合流コンベア装置を提供する。【解決手段】  走行されている高速チェ−ンコンベア５上に、これと並行して走行されている低速コンベア１６で搬送されている品物Ｂを斜め横方向から幅寄せして高速チェ−ンコンベア５上に割り込ませて搬送する合流コンベア装置である。低速コンベア１６の高速チェ−ンコンベア５側の側縁部の上面が高速チェ−ンコンベア５の上面より高くなったピークホルダーを有しており、かつ、高速チェ−ンコンベア５は２本平行に配置された倍速チェ−ン１２を有し、その２本の倍速チェ−ン１２の間に横から幅寄せされてくる品物Ｂが高速チェ−ンコンベア５上へ着地する底部を受ける位置にボトムキ−パ１４を配置している。品物Ｂは、高速チェ−ンコンベア５上に全体的に載った状態になって初めて高速チェ−ンコンベア５による搬送作用を受ける。【選択図】      図１
2005231779.tif 000002
【特許請求の範囲】
【請求項１】
走行されている高速チェ−ンコンベア上に、同高速チェ−ンコンベアと並行して走行されている低速コンベアで搬送されている品物を斜め横方向から幅寄せして同高速チェ−ンコンベア上に割り込ませて合流させ搬送させる合流コンベア装置において、前記低速コンベアの前記高速チェ−ンコンベア側の側縁部の上面が同高速チェ−ンコンベアの上面より高くなっており、かつ、前記高速チェ−ンコンベアは少なくとも２本平行に配置されたチェ−ンを有し、同２本のチェ−ンの間に横から幅寄せされてくる品物の底分を受けるボトムキ−パを配置していることを特徴とする合流コンベア装置。
【請求項２】
前記ボトムキ−パは、前記低速コンベアから幅寄せされて来た品物が前記高速チェ−ンコンベア上へ着地する底部を受ける位置に配設されていることをを特徴とする請求項１に記載の合流コンベア装置。
【請求項３】
前記高速チェ−ンコンベアは先行するコンベアによって２列平行に搬送されて来た品物の一方の列の品物を受けて２倍の速度で搬送させる倍速チェ−ンのコンベアであり、前記低速コンベアは前記２列平行に搬送されて来た他方の品物を受けて搬送するコンベアであり、同低速コンベア上の品物は、同低速コンベア上を斜めに横切って配置された合流ガイドによって案内されて前記倍速チェ−ンコンベア上へ幅寄せされる構成であることを特徴とする請求項１又は２に記載の合流コンベア装置。
【発明の詳細な説明】
【技術分野】
【０００１】
本発明は、高速チェ−ンコンベアと低速コンベアが並行して走行されているコンベア装置において、その低速コンベアで搬送されている品物を斜め横方向から幅寄せしてその高速チェ−ンコンベア上に割り込ませて合流させ搬送させる合流コンベア装置に関する。
【背景技術】
【０００２】
例えば、搬送コンベアによって２列になって搬送されて来た品物を、１列に並べ変えて搬送させることが必要な場合がある。この場合、１列に並べ変えて搬送される速度は、２列になって搬送されて来た速度の２倍以上となる。
このように、互いに異なる速度で搬送されている品物を１列に並べ変える上では、その速度の違いに基づく問題点が生ずる。
【０００３】
このように、コンベアで搬送されている品物を並べ変えるように構成した従来の合流コンベア装置の例を図１０〜１２によって説明する。
図１０において、１は第１のコンベアで、第１のコンベアは２つの並列されたコンベア２、３から構成されている。コンベア２は品物（例えば充填物をいれたパック等）Ａ−１、Ａ−２、Ａ−３・・・を搬送し、コンベア３は同様に品物Ｂ−１、Ｂ−２、Ｂ−３・・・を搬送する。
【０００４】
第１のコンベア１の後には、第２のコンベア４が直列に配置されており、第２のコンベア４は、互いに並列に配置された高速チェ−ンコンベア５と低速コンベア６から構成されている。
高速チェ−ンコンベア５は、コンベア２が搬送して来た品物Ａ−１、Ａ−２、Ａ−３・・・を受け取って搬送し、低速コンベア６はコンベア３が搬送して来た品物Ｂ−１、Ｂ−２、Ｂ−３・・・を受け取って搬送する。
【０００５】
高速チェ−ンコンベア５は、他のコンベア２、３、６の２倍の速度で搬送するコンベアであり、従って、高速チェ−ンコンベア５上に載せられて搬送される品物Ａ−１、Ａ−２、Ａ−３・・・の前後間には図１０にみられるようにＢの隙間分の間隔が空く。
一方、低速コンベア６の上方には、合流ガイド７が低速コンベア６を斜めに横切って配置されており、低速コンベア６に載って搬送される品物Ｂ−１、Ｂ−２、Ｂ−３・・・は、その合流ガイド７に当接してこれによって案内され、高速チェ−ンコンベア５の方向に幅寄せされる。合流ガイド７は、低速側搬送バー８に取付けられている。
【０００６】
高速チェ−ンコンベア５の方向に幅寄せされた品物Ｂ−１、Ｂ−２、Ｂ−３・・・は、高速チェ−ンコンベア５の上の品物Ａ−１、Ａ−２、Ａ−３・・・の前後間に形成されている隙間の間に入り込まされ、品物はＡ−１、Ｂ−１、Ａ−２、Ｂ−２、Ａ−３、Ｂ−３・・・の順に１列に整列された状態で高速で搬送される。
【０００７】
このように構成された従来の合流コンベア装置では、合流される側のコンベアが速度の速い高速チェ−ンコンベア５であり、合流する側のコンベアが速度の遅い低速コンベア６であるため、合流された後の品物を正確に同じ向きに整列させた状態で合流させることが難しい、という問題点を有している。
その問題点について、図１１〜１４によって説明する。
【０００８】
図１１は、コンベア２と３から、それぞれ、高速チェ−ンコンベア５と低速コンベア６へ移し替えられて合流が行なわれる前の状態を示している。高速チェ−ンコンベア５と低速コンベア６の上に載せられた品物Ａ、Ｂは、各コンベア５、６を横切って上方に配設されたガイド取付け部材９に取付けられたガイド１０、１１によって案内されて並行して搬送される。
【０００９】
高速チェ−ンコンベア５は、図示してあるように、２つの並列に配置された倍速チェ−ン１２によって構成されている。低速コンベア６の上に載せられて搬送される品物Ｂ−１、Ｂ−２、Ｂ−３・・・は、低速コンベア６の上方を斜めに横切って配設された合流ガイド７と当接してそれに沿って案内され、高速チェ−ンコンベア５側に幅寄せされる。図１２は、合流ガイド７（図示していない）に沿って低速コンベア６の上の品物Ｂ−１、Ｂ−２、Ｂ−３・・・が幅寄せを開始された状態を示している。
【００１０】
図１３は、低速コンベア６の上の品物Ｂ−１、Ｂ−２、Ｂ−３・・・が幅寄せにより、高速チェ−ンコンベア５の低速コンベア６側にある倍速チェ−ン１２の上に載せられようとしている状態を示している。
図１４は、低速コンベア６の上の品物Ｂ−１、Ｂ−２、Ｂ−３・・・が低速コンベア６側にある倍速チェ−ン１２の上に載り移った状態を示している。このとき、高速チェ−ンコンベア５の倍速チェ−ン１２は低速コンベア６の２倍の速度で搬送されているため、倍速チェ−ン１２に載った品物は、倍速チェ−ン１２との接触部が高速で搬送され始めることになる。
【００１１】
そのため、低速コンベア６の上の品物Ｂ−１、Ｂ−２、Ｂ−３・・・は、図１０に示す物品Ｂ−２のように、倍速チェ−ン１２に載った部分が引っ張られて回動する。この状態では、支点からの距離が小さいため品物Ｂ−２への旋回力が強く作用して品物Ｂ−２の姿勢に大きく影響する。
従って、低速コンベア６の上の品物Ｂ−１、Ｂ−２、Ｂ−３・・・が高速チェ−ンコンベア５の上に載り移ったときに、図１０に示す品物Ｂ−１のように品物の向きが９０°回転された状態になって搬送されるという問題が生ずる。このように、種々の向きになって高速チェ−ンコンベア５によって搬送される品物は、その後の工程での取り扱いに問題を生ずるのである。
【発明の開示】
【発明が解決しようとする課題】
【００１２】
従来の合流コンベア装置では、前記したように、合流された後の品物の向きが確実に一定方向に整列されない、という問題点があったのに鑑み、本発明は、合流後の品物の向きが一定方向にできるように構成した合流コンベア装置を提供することを課題としている。
【課題を解決するための手段】
【００１３】
本発明は、走行されている高速チェ−ンコンベア上に、同高速チェ−ンコンベアと並行して走行されている低速コンベアで搬送されている品物を斜め横方向から幅寄せして同高速チェ−ンコンベア上に割り込ませて合流させ搬送させる合流コンベア装置における前記した課題を解決するため、低速コンベアの高速チェ−ンコンベア側の側縁部の上面が同高速チェ−ンコンベアの上面より高くなっており、かつ、高速チェ−ンコンベアは少なくとも２本平行に配置されたチェ−ンを有し、同２本のチェ−ンの間に横から幅寄せされてくる品物の底部を受けるボトムキ−パを配置した構成を有する合流コンベア装置を提供する。
【００１４】
本発明による合流コンベア装置における前記したボトムキ−パは、低速コンベアから幅寄せされて来た品物が高速チェ−ンコンベア上へ着地する底部を受ける位置に配設されている構成とするのが好ましい。
【００１５】
また、本発明による合流コンベア装置は、前記した高速チェ−ンコンベアとして、先行するコンベアによって２列平行に搬送されて来た品物の一方の列の品物を受けて２倍の速度で搬送させる倍速チェ−ンのコンベアを採用し、前記した低速コンベアとして、前記２列並行に搬送されて来た他方の品物を受けて搬送するコンベアを採用し、その低速コンベア上の品物が、同低速コンベア上を斜めに横切って配置された合流ガイドによって案内されて高速チェ−ンコンベア上へ幅寄せされる構成をもつものとすることができる。
【発明の効果】
【００１６】
以上の構成をもつ本発明の合流コンベア装置によると、低速コンベアによって搬送され斜め横方向から幅寄せされて高速チェ−ンコンベア上に割り込まされる低速コンベア上の品物は、低速コンベアの高速チェ−ンコンベア側の側縁部の上面が同高速チェ−ンコンベアの上面より高くなっているため、高速チェ−ンコンベア上に幅寄せされた位置に来ても、高速チェ−ンコンベアの上面より高くなっている低速コンベアの側縁部上面に載ったまま、高速チェ−ンコンベアに接触しない状態で、更に高速チェ−ンコンベア側へ幅寄せされ続け、重心の移動により品物が高速チェ−ンコンベア側へ着地するときは、高速チェ−ンコンベアのボトムキ−パの上に載り、その着地部分が高速チェ−ンコンベアにより高速で搬送され始める前に更なる幅寄せが行なわれる。
【００１７】
こうして、高速チェ−ンコンベア側へ幅寄せされた品物が、高速チェ−ンコンベア上に全体的に載った状態になって初めて品物は高速チェ−ンコンベアによる搬送作用を受けることとなるので、高速チェ−ンコンベア上に幅寄せされた品物が高速チェ−ンコンベア側の先端部だけが高速チェ−ンコンベアによる高速搬送作用を受けて品物が回転させられてしまうという事態が発生するのを回避される。
【００１８】
従って、本発明によれば、複数列をなして搬送されて来た品物を、品物の配列方向を一定にして合流させて搬送することができる。
本発明の合流コンベア装置によると、高速チェ−ンコンベア側に幅寄せされた品物が高速チェ−ンコンベアを構成している２つのチェ−ンの間に配設されているボトムキ−パの上に着地してそれを通り過ぎて、もう一方のチェ−ンの上に載った時点で高速チェ−ンコンベアからの搬送力を受けるので、品物は高速チェ−ンコンベアから回転力を受けて方向を転換されることなく、幅寄せされた状態のまま高速チェ−ンコンベア上に方向を整え１列に整列された状態にして合流され搬送される。
【発明を実施するための最良の形態】
【００１９】
以下、本発明による合流コンベア装置を図１〜９に示した実施の形態に基づいて具体的に説明する。
図１は本発明の実施の１形態による合流コンベア装置を示しているが、上面図で見る限り、図１０に示された従来の合流コンベア装置の構成と同じであるが、図１に見られるように、高速チェ−ンコンベア５の上には、低速コンベア１６側から幅寄せされて高速チェ−ンコンベア５の上に移し替えられる品物の向きが、全く変えられていないことが明確に示されている点が違っている。
【００２０】
この実施形態による合流コンベア装置を構成している低速コンベア１６は、図２〜図９に見られるように、高速チェ−ンコンベア５側の側縁部の上面が同高速チェ−ンコンベア５の上面より高くなったピ−クホルダ−１３を形成している。また、高速チェ−ンコンベア５は、平行に配置された２本の倍速チェ−ン１２の間にボトムキ−パ１４が配置された構成となっている。ボトムキ−パ１４の設置位置は、低速コンベア１６のピ−クホルダ−１３を越えて幅寄せされた品物の側縁部が高速チェ−ンコンベア５側へ着地する位置になるように選定するのが好ましい。
【００２１】
この実施形態による合流コンベア装置は、低速コンベア１６の高速チェ−ンコンベア５側の側縁部の上面が同高速チェ−ンコンベア５の上面より高くなったピ−クホルダ−１３を形成していることと、高速チェ−ンコンベア５を構成する２本の倍速チェ−ン１２の間にボトムキ−パ１４が配置されていることが特徴である。
その他の構成は、図１０〜図１４に示した従来の合流コンベア装置の構成と実質同じであり、その重複する説明を省略する。
【００２２】
以上の構成をもつ図１に示した合流コンベア装置によって、第１のコンベア１で２列に搬送されて来る品物を１列に合流させる態様を、以下、図２〜図９を用いて説明る。
【００２３】
図２は、コンベア２と３から、それぞれ、高速チェ−ンコンベア５と低速コンベア１６へ移し替えられて合流が行なわれる前の搬送状態を示している。高速チェ−ンコンベア５と低速コンベア１６の上に載せられた品物Ａ−１、Ａ−２、Ａ−３・・・とＢ−１、Ｂ−２、Ｂ−３・・・は、各コンベア５、１６を横切って上方に配設されたガイド取付け部材９に取付けられたガイド１０、１１によって案内されて並行して搬送される。
【００２４】
高速チェ−ンコンベア５は、図示してあるように、２つの平行に配置された倍速チェ−ン１２によって構成されている。低速コンベア１６の上に載せられて搬送される品物Ｂ−１、Ｂ−２、Ｂ−３・・・（以下では単に品物Ｂと記す）は、低速コンベア１６の上方を斜めに横切って配設された合流ガイド７と当接してそれに沿って案内され、高速チェ−ンコンベア５側に幅寄せされる。図３は、合流ガイド７（図示していない）に沿って低速コンベア１６の上の品物Ｂが幅寄せを開始された状態を示しており、品物Ｂは、高速チェ−ンコンベア５側の側縁部が低速コンベア１６のピ−クホルダ−１３に載せられている。
【００２５】
図４と図５は、低速コンベア１６の上の品物Ｂが幅寄せにより、ピ−クホルダ−１３を越えて高速チェ−ンコンベア５側に寄せられつつある状態を示している。高速チェ−ンコンベア５側に寄せられる品物Ｂは、低速コンベア１６に高速チェ−ンコンベア５の上面より高くして形成されたピ−クホルダ−１３の存在によって図５に示すように高速チェ−ンコンベア５側の側縁部が上向きに持ち上げられた状態になり、品物Ｂは重心の移動によって傾斜臨界点を過ぎるまで、この状態を保って品物Ｂは右上がりとなっているため、重心移動の臨界点は水平状態の品物Ｂが幅寄せされるときより遅い。
高速チェ−ンコンベア５側に張り出した品物Ｂは高速チェ−ンコンベア５の倍速チェ−ン１２に接触せず、高速チェ−ンコンベア５から搬送力を受けることがない。
【００２６】
図６は、低速コンベア１６上の品物Ｂが更に幅寄せされて、ピ−クホルダ−１３を越えた部分の品物Ｂの重さで、品物Ｂが水平状態となっていて、品物Ｂの張り出し部分が下方へ降下して右下がりの逆方向に傾斜しようとしている状態を示している。
【００２７】
図７は、低速コンベア１６からピ−クホルダ−１３を越えて幅寄せされて張り出した品物Ｂが右下がりに逆傾斜して、品物Ｂの側縁部が高速チェ−ンコンベア５を構成する２本の倍速チェ−ン１２の間に配置されたボトムキ−パ１４の上に着地した状態を示している。この状態でも、品物Ｂの底はピ−クホルダ−１３とボトムキ−パ１４によって支えられていて、高速チェ−ンコンベア５を構成する２本の倍速チェ−ン１２には接触していない。
【００２８】
図８は幅寄せされた品物Ｂが、高速チェ−ンコンベア５を構成する２本の倍速チェ−ン１２の上に載った状態を示しており、この状態になって、品物Ｂは高速チェ−ンコンベア５からの搬送力が作用され、高速チェ−ンコンベア５によって高速で搬送が開始される。この状態では、高速チェ−ンコンベア５との接触点が、ピ−クホルダ−１３による支持点から離れ、両点の間の距離が長いため、品物Ｂには旋回力が強く作用せずに滑る。
【００２９】
図９は、低速コンベア１６から、品物Ｂが高速チェ−ンコンベア５上に移し終えられた状態を示しており、この状態では、図１に見られる品物Ａ−１、Ｂ−１、Ａ−２のように、品物は高速チェ−ンコンベア５上に方向性良く整列されて１列となって高速で搬送される。
【産業上の利用可能性】
【００３０】
以上説明した実施の形態では、２列で搬送されている充填パック等の品物を１列に合流させる場合について説明したが、本発明はその他の種々の品物を合流させて搬送するのに適用できるし、合流させる数も、２列を１列に合流させる場合の他、３列以上を１列又は４列を２列に合流させるなどの場合も同様に適用するここができる。
【図面の簡単な説明】
【００３１】
【図１】本発明の実施の１形態による合流コンベア装置の構成を示す平面図。
【図２】図１に示した合流コンベア装置による幅寄せ開始前の状態を示す説明図。
【図３】図１に示した合流コンベア装置による幅寄せ開始状態を示す説明図。
【図４】図１に示した合流コンベア装置による幅寄せ進行状態を示す説明図。
【図５】図１に示した合流コンベア装置による更なる幅寄せ進行状態を示す説明図。
【図６】図１に示した合流コンベア装置による幅寄せが更に進んだ進行状態を示す説明図。
【図７】図１に示した合流コンベア装置による幅寄せが進行して品物Ｂが高速チェ−ンコンベア側に着地した状態を示す説明図。
【図８】図１に示した合流コンベア装置による幅寄せが進行して品物Ｂが高速チェ−ンコンベア側に載った状態を示す説明図。
【図９】図１に示した合流コンベア装置により幅寄せが終了して品物Ｂが高速チェ−ンコンベア側に載った状態を示す説明図。
【図１０】従来の合流コンベア装置の構成を示す平面図。
【図１１】図１０に示した合流コンベア装置による幅寄せ開始前の状態を示す説明図。
【図１２】図１０に示した合流コンベア装置による幅寄せ開始状態を示す説明図。
【図１３】図１０に示した合流コンベア装置による幅寄せ進行状態を示す説明図。
【図１４】図１０に示した合流コンベア装置による幅寄せが進行して品物Ｂが高速チェ−ンコンベア側に着地した状態を示す説明図。
【符号の説明】
【００３２】
１      第１のコンベア
２      コンベア
３      コンベア
４      第２のコンベア
５      高速チェ−ンコンベア
６      低速コンベア
７      合流ガイド
８      低速側搬送バー
９      ガイド取付け部材
１０    ガイド
１１    ガイド
１２    倍速チェ−ン
１３    ピ−クホルダ−
１４    ボトムキ−パ
１６    低速コンベア
【図１】
2005231779.tif 000003
【図２】
2005231779.tif 000004
【図３】
2005231779.tif 000005
【図４】
2005231779.tif 000006
【図５】
2005231779.tif 000007
【図６】
2005231779.tif 000008
【図７】
2005231779.tif 000009
【図８】
2005231779.tif 000010
【図９】
2005231779.tif 000011
【図１０】
2005231779.tif 000012
【図１１】
2005231779.tif 000013
【図１２】
2005231779.tif 000014
【図１３】
2005231779.tif 000015
【図１４】
2005231779.tif 000016